(57)【要約】【課題】ガラスパネルと枠または框との間の隙間が発生しにくく、かつ火災発生時にもガラスパネルを枠や框により確実に保持することが可能となり、延焼防止機能を向上させた窓およびサッシを提供する。【解決手段】縦枠１および横枠２，３からなる枠体Ｆを、建物開口部の室内側に設けた凹み部に設置する。これにより、室内側から見て枠体Ｆが室内側開口部構成部材により隠蔽された構造とする。ガラスパネル７の室内側４辺を、縦枠１および横枠２，３のガラスパネル面内方向の内側に延出させた室内側見付け面部２ｃ，３ｃに対面させる。ガラスパネル７の室外側の少なくとも２辺を、縦枠１または横枠２の室外側に取付ける押縁１９，２０によりシール材２１を介して固定する。ガラスパネル７の室内側の面と縦枠１および横枠２，３の室内側見付け面部との間に加熱発泡材１６を設ける。【選択図】図３
2014105554.tif 000002
【特許請求の範囲】
【請求項１】
建物開口部の室外側の周囲に凹み部を設け、前記凹み部に、縦枠および横枠により組まれた枠体の室内側見付け面部の室内側の面を、前記凹み部の壁面に当接させて設置することにより、前記枠体が建物開口部の室内側から見て室内側開口部構成部材により隠蔽された構造とし、
前記枠体内に収容固定されるガラスパネルの室内側４辺を、前記枠体を構成する縦枠および横枠のガラスパネル面内方向の内側に延出させた室内側見付け面部に対面させ、
前記ガラスパネルの室内側の面と前記縦枠および前記横枠の前記室内側見付け面部との間に加熱発泡材を設け、
前記ガラスパネルの室外側の少なくとも２辺を、前記縦枠または前記横枠の室外側に取付ける押縁によりシール材を介して固定したことを特徴とする窓。
【請求項２】
請求項１に記載の窓において、
前記縦枠および前記横枠の前記ガラスパネルの端面に対面する見込み面部に加熱発泡材を設けたことを特徴とする窓。
【請求項３】
請求項１または２に記載の窓において、
前記ガラスパネルを収容し固定する金属製押出形材でなる縦枠と横枠の室内側に、前記縦枠および前記横枠の前記ガラスパネル面内方向の内側を覆って縦枠および横枠の一部を構成する合成樹脂製押出形材を取付けたことを特徴とする窓。
【請求項４】
建物開口部の室外側の周囲に凹み部を設け、前記凹み部に、縦枠および横枠により組まれた枠体の室内側見付け面部の室内側の面を、前記凹み部の壁面に当接させて設置することにより、前記枠体が建物開口部の室内側から見て室内側開口部構成部材により隠蔽された枠体内に収容され、
縦框および横框により組まれた框組内に収容し固定されるガラスパネルの室内側４辺を、前記縦框および前記横框のガラスパネル面内方向の内側に延出させた室内側見付け面部に対面させ、
前記ガラスパネルの室内側の面と前記縦框および前記横框の前記室内側見付け面部との間に加熱発泡材を設け、
前記ガラスパネルの室外側の少なくとも２辺を、前記縦框または前記横框の室外側に取付ける押縁によりシール材を介して固定したことを特徴とするサッシ。
【請求項５】
請求項４に記載のサッシにおいて、
前記縦框および前記横框の前記ガラスパネルの端面に対面する見込み面部に加熱発泡材を設けたことを特徴とするサッシ。
【請求項６】
請求項４または５に記載のサッシにおいて、
前記ガラスパネルを収容し固定する金属製押出形材でなる縦框と横框の室内側に、前記縦框および前記横框の室内側の面と前記ガラスパネル面内方向の内側とを覆って縦框および横框の一部を構成する合成樹脂製押出形材を取付けたことを特徴とするサッシ。
【発明の詳細な説明】
【技術分野】
【０００１】
本発明は、住宅等の建物に設置される窓と窓に用いられるサッシに関する。
【背景技術】
【０００２】
住宅等の建物が密集する防火地域においては、防火性、すなわち延焼防止効果や熱的影響の軽減効果の高い窓を設置する必要がある。このため、例えば特許文献１に開示されているような、網入りガラスパネルや耐熱ガラスパネルを備えた防火窓が従来から使用されている。従来の窓は一般的には１枚ガラスであり、その上、従来は框や枠に燃えやすい樹脂製押出形材を用いることは少なく、網入りガラスパネルにひびが入っても防火性能に影響は少なかった。
【０００３】
しかしながら近年、断熱性の向上による省エネ効果等を目的として、図１４の縦断面図や図１５の横断面図に示すようなペアガラス（PG）や、金属製押出形材と樹脂製押出形材とを用いた複合材が窓枠や框に多用されるようになってきた。図１４、図１５において、５０，５１は建物の開口部の上縁、下縁にそれぞれ設置される額縁、５２は建物の開口部の左右の縁に設置される額縁である。５３は左右の縦枠、５４，５５はそれぞれこれらの縦枠５３，５３間に結合された上枠、下枠として備えられた横枠であり、いずれもアルミニウム合金等の金属製押出形材でなるものである。５６，５７，５８はそれぞれこれらの縦枠５３および横枠５４，５５の室内側にこれらに結合して設けられる合成樹脂製押出形材であり、断熱性を高めて結露を防止すると共に、省エネ効果を持たせるために設けられるものである。
【０００４】
５９はこれらの押出形材により構成される枠内に収容されたガラスパネルであり、このガラスパネル５９は室外側ガラスパネル６０と室内側ガラスパネル６１とにより構成され、これらのガラスパネル６０，６１の間に、スペーサとしての金属製押出形材からなるスペーサ６２と接着剤を兼ねた合成樹脂製の封止材６３とを介在させたものである。
【０００５】
６４，６５はそれぞれ合成樹脂製押出形材５６，５７に結合して設けられる合成樹脂製押出形材でなる押縁である。６６は縦枠５３、横枠５４，５５の室外側部分に設けられ、２重パネル５９との間の隙間を封止するゴム等からなる乾式シール材、６７は同じ目的を持って合成樹脂製押出形材５８や押縁６４，６５に設けられた乾式シール材である。
【０００６】
図１４において、７０は横枠５４にねじ７１により取付けられ、火災発生時のガラスパネル５９の外れを防止する鉄製の外れ止め金具である。
【先行技術文献】
【特許文献】
【０００７】
【特許文献１】特開２０１１−１５３５１９号公報
【発明の概要】
【発明が解決しようとする課題】
【０００８】
しかしながら、図１４、図１５に示した従来構造によると、金属製押出形材に比較して耐熱性の低い合成樹脂製押出形材でなる押縁６５，６４がそれぞれ額縁５０，５２のガラスパネル５９の面内方向の内面よりＷ２，Ｗ３に示す幅だけ内側に突出しているので、火災が発生した場合、これらの押縁６４，６５が熱的影響により変形や崩壊を起こしやすく、このため、ガラスパネル５９と縦枠５３および横枠５４との間に隙間が発生したり、ガラスパネル５９の倒れを生じたりして、外部から内部への延焼、あるいは外部から内部への延焼が起こりやすくなるという問題点がある。
【０００９】
また、外れ止め金具７０はガラスパネル５９を枠内に装着した後に取付ける必要があるが、外れ止め金具７０とガラスパネル５９との掛かり部の幅Ｗ１（図１４参照）を大きくすると、ねじ７１による横枠５４に対する取付けが困難となる上、押縁６５も大型化するため、この掛かり部の幅Ｗ１を大きくすることができない。このため、外れ止め金具７０とガラスパネル５９との掛かり部の幅Ｗ１を小さくせざるを得ず、その結果、ガラスパネル５９が室内側に倒れやすくなり、火災時に窓の部分が開口されて延焼が生じやすくなるという問題点がある。
【００１０】
本発明は、上記問題点に鑑み、ガラスパネルと窓枠または框との間の隙間が発生しにくく、かつ火災発生時にもガラスパネルを窓枠や框により確実に保持することが可能となり、このために熱風や可燃性ガスの室内側への流入が防止されて延焼防止機能を向上させた窓およびサッシを提供することを目的とする。
【課題を解決するための手段】
【００１１】
請求項１の窓は、
建物開口部の室外側の周囲に凹み部を設け、前記凹み部に、縦枠および横枠により組まれた枠体の室内側見付け面部の室内側の面を、前記凹み部の壁面に当接させて設置することにより、前記枠体が建物開口部の室内側から見て室内側開口部構成部材により隠蔽された構造とし、
前記枠体内に収容固定されるガラスパネルの室内側４辺を、前記枠体を構成する縦枠および横枠のガラスパネル面内方向の内側に延出させた室内側見付け面部に対面させ、
前記ガラスパネルの室内側の面と前記縦枠および前記横枠の前記室内側見付け面部との間に加熱発泡材を設け、
前記ガラスパネルの室外側の少なくとも２辺を、前記縦枠または前記横枠の室外側に取付ける押縁によりシール材を介して固定したことを特徴とする。
【００１２】
請求項２の窓は、請求項１に記載の窓において、
前記縦枠および前記横枠の前記ガラスパネルの端面に対面する見込み面部に加熱発泡材を設けたことを特徴とする。
【００１３】
請求項３の窓は、請求項１または２に記載の窓において、
前記ガラスパネルを収容し固定する金属製押出形材でなる縦枠と横枠の室内側に、前記縦枠および前記横枠の前記ガラスパネル面内方向の内側を覆って縦枠および横枠の一部を構成する合成樹脂製押出形材を取付けたことを特徴とする。
【００１４】
請求項４のサッシは、
建物開口部の室外側の周囲に凹み部を設け、前記凹み部に、縦枠および横枠により組まれた枠体の室内側見付け面部の室内側の面を、前記凹み部の壁面に当接させて設置することにより、前記枠体が建物開口部の室内側から見て室内側開口部構成部材により隠蔽された枠体内に収容され、
縦框および横框により組まれた框組内に収容し固定されるガラスパネルの室内側４辺を、前記縦框および前記横框のガラスパネル面内方向の内側に延出させた室内側見付け面部に対面させ、
前記ガラスパネルの室内側の面と前記縦框および前記横框の前記室内側見付け面部との間に加熱発泡材を設け、
前記ガラスパネルの室外側の少なくとも２辺を、前記縦框または前記横框の室外側に取付ける押縁によりシール材を介して固定したことを特徴とする。
【００１５】
請求項５のサッシは、請求項４に記載のサッシにおいて、
前記縦框および前記横框の前記ガラスパネルの端面に対面する見込み面部に加熱発泡材を設けたことを特徴とする。
【００１６】
請求項６のサッシは、請求項４または５に記載のサッシにおいて、
前記ガラスパネルを収容し固定する金属製押出形材でなる縦框と横框の室内側に、前記縦框および前記横框の室内側の面と前記ガラスパネル面内方向の内側とを覆って縦框および横框の一部を構成する合成樹脂製押出形材を取付けたことを特徴とする。
【発明の効果】
【００１７】
請求項１の発明によれば、ガラスパネルの室内側の面と縦枠および横枠の室内側の見付け面部との間に加熱発泡材を設けたので、火災時にはこの加熱発泡材が膨張することにより、ガラスパネルの室内側の面と縦枠および横枠の室内側の見付け面部との間に隙間が発生することが防止されると共に、加熱発泡材の膨張によりガラスパネルが室外側に押圧されて室外側での隙間の発生が防止される。
【００１８】
このため、ガラスパネルと枠との間から熱風や炎が室内側に侵入したり、シール材の加熱等によって発生する可燃性ガスが室内側に侵入して室内側が延焼しやすい状態となったり、ガラスパネルが外れて延焼したりすることが防止することができる。
【００１９】
また、建物開口部の室外側の周囲に凹み部を設けると共に、縦枠と横枠とで枠組みされた枠体を前記凹み部に設置することにより、前記枠体が建物開口部の室内側から見て室内側開口部構成部材により隠蔽された構造としたので、室内側から火災が発生した場合、枠体が溶けず、加熱発泡材を小さくすることができる。
【００２０】
請求項２の発明によれば、縦枠および横枠のガラスパネルの端面に対面する見込み面部にも加熱発泡材を設けたので、火災時にこの加熱発泡材が膨張することにより、ガラスパネルの端面と枠との間が閉塞される。このため、熱風や可燃性ガスの室内側への侵入がより確実に防止され、延焼防止効果がさらに向上する。
【００２１】
請求項３の発明によれば、縦枠および横枠の室内側に合成樹脂製押出形材を設けたので、枠体の断熱性を高めることができる。
【００２２】
請求項４の発明によれば、ガラスパネルの室内側の面と縦框および横框の室内側の見付け面部との間に加熱発泡材を設けたので、火災時にはこの加熱発泡材が膨張することにより、ガラスパネルの室内側の面と縦框および横框の室内側の見付け面部との間に隙間が発生することが防止されると共に、加熱発泡材の膨張によりガラスパネルが室外側に押圧されて室外側での隙間の発生が防止される。
【００２３】
このため、ガラスパネルと框との間から熱風や炎が室内側に侵入したり、シール材の加熱等によって発生する可燃性ガスが室内側に侵入して室内側が延焼しやすい状態となったり、ガラスパネルが外れて延焼したりすることが防止することができる。
【００２４】
請求項５の発明によれば、縦框および横框のガラスパネルの端面に対面する見込み面部に加熱発泡材を設けたので、火災時にこの加熱発泡材が膨張することにより、ガラスパネルの端面と框との間が閉塞される。このため、熱風や可燃性ガスの室内側への侵入がより確実に防止され、延焼防止効果がさらに向上する。また、火災時にガラスパネルが框により確実に保持されるので、ガラスパネル外れによる延焼もさらに確実に防止される。
【００２５】
請求項６の発明によれば、縦框および横框の室内側に、合成樹脂製押出形材を設けたので、框組の断熱性を高めることができる。
【図面の簡単な説明】
【００２６】
【図１】本発明の窓の一実施の形態を示す縦断面図である。
【図２】本実施の形態の窓の横断面図である。
【図３】図１の拡大縦断面図である。
【図４】図２の拡大横断面図である。
【図５】図３の上枠部の拡大縦断面図である。
【図６】図３の下枠部の拡大縦断面図である。
【図７】図４の片側の縦枠部の拡大横断面図である。
【図８】（Ａ）は本実施の形態において用いる外れ止め金具の側面図、（Ｂ）はその正面図である。
【図９】本実施の形態における窓上部の火災時の形態の変化を示す縦断面図である。
【図１０】本発明の窓の他の実施の形態を示す縦断面図である。
【図１１】図１０の実施の形態の窓の横断面図である。
【図１２】図１１の実施の形態の窓側部の火災時の形態の変化を示す拡大横断面図である。
【図１３】本発明のサッシの一実施の形態を示す縦断面図である。
【図１４】従来の窓を示す縦断面図である。
【図１５】従来の窓を示す横断面図である。
【発明を実施するための形態】
【００２７】
図１は本発明の窓の一実施の形態を示す縦断面図、図２はその横断面図である。図１および図２において、１は左右の縦枠、２，３はそれぞれ上枠、下枠として備えた横枠である。この縦枠１および横枠２，３はアルミニウム合金等の金属製押出形材により構成される。４，５，６はそれぞれ後述の構造により縦枠１，横枠２，３の室外側に組み付けられて断熱性を高める合成樹脂製押出形材であり、それぞれ縦枠および横枠の一部をなすものである。縦枠１，横枠２，３および合成樹脂製押出形材4〜６により枠体Ｆが構成される。
【００２８】
図１において、３５，３６はそれぞれ建物開口部３７の基枠を構成する窓台とまぐさである。３８は窓台３５上にカイ木３９を介して設置された額縁、４０はまぐさ３６の下にカイ木４１を介して取付けられた額縁である。図２において、４２は窓台３５やまぐさ３６と共に建物開口部３７の基枠を構成する左右の柱、４３はこれらの柱４２にカイ木４４を介して設置された額縁である。これら４周の額縁３８，４０，４３，４３により建物開口部３７の内周面を構成し、これらの額縁３８，４０，４３，４３およびカイ木３９，４１，４４，４４と、窓台３５、まぐさ３６および柱４２，４２とにより、建物開口部３７の室外側に凹み部４５を構成する。そしてこの凹み部４５の壁面に枠体Ｆの室内側見付け面を当ててねじ等の固定具４６により固定する。そして室内側から見ると、枠体Ｆは額縁３８，４０，４３，４３や内装材４７によって隠蔽される構造とする。４８は胴縁、４９は外装材である。
【００２９】
図３、図４はそれぞれ図１、図２の拡大縦断面図、拡大横断面図である。また、図５、図６はそれぞれ図３の上部、下部の縦拡大断面図、図７は図４の片側の拡大横断面図である。図５〜図７に示すように、合成樹脂製押出形材４，５，６は、これらの押出形材４，５，６にそれぞれ設けた係止部４ａ，５ａ，６ａを、縦枠１，横枠２，３に設けた係止溝１ａ，２ａ，３ａに嵌合すると共に、押出形材４，５，６にそれぞれ設けた係止爪４ｂ，５ｂ，６ｂを縦枠１，横枠２，３にそれぞれ設けた係止突起１ｂ，２ｂ，３ｂに係止させて合成樹脂製押出形材４，５，６を縦枠１、横枠２，３に取付ける。これらの合成樹脂製押出形材４，５，６は、縦枠１および横枠２，３のガラスパネル７の面内方向の内側を覆う。
【００３０】
本実施の形態においては、枠体Ｆ内に収容されるガラスパネル７は、網入りガラスパネルでなる室外側ガラスパネル８と、室内側ガラスパネル９とにより２重パネルとして構成されたものを示す。ただし本発明は単層パネルにも適用可能である。なお、室内側ガラスパネル９としては、熱線の通過を抑制する金属膜を張ったものを用いることが、防火性を高める上で好ましい。図３、図６において、１０は横枠３のパネル取付け溝３ｘ内に設けられてガラスパネル７を載置するスペーサである。この例のスペーサ１０は金属製のもので、室外側に立ち上げ片１０ａを有することにより、外れ止めの機能を持たせたものである。
【００３１】
図５〜図７に示すように、室外側ガラスパネル８と室内側ガラスパネル９との間は、金属製押出形材でなるスペーサ１１が、接着剤１２により室外側ガラスパネル８と室内側ガラスパネル９の対向面に接着して設けられる。１３はスペーサ１１を覆うようにガラスパネル８，９の端部間に充填されてガラスパネル８，９間の空気層１４を封止する封止材であり、例えばブチル樹脂やシリコン樹脂等の合成樹脂を充填したものである。
【００３２】
図５〜図７に示すように、ガラスパネル７の室内側４辺を、縦枠１、横枠２，３の室内側の見付け面部１ｃ，２ｃ，３ｃに対面させる。そして、縦枠１、横枠２，３のこれらの対面部に、加熱発泡材１６を接着剤や両面テープにより張り付けてガラスパネル７を当接させる。この加熱発泡材１６は、有機系耐火材であり、シート状をなし、例えば２００℃前後で発泡して数倍ないし数十倍に膨張し、断熱層を形成するものである。
【００３３】
図５〜図７に示すように、合成樹脂製押出形材４，５，６のガラスパネル対向面にはゴム等でなる乾式シール材１７を取付ける。
【００３４】
図３、図４に示すように、ガラスパネル７の室外側は上辺部と左右の側辺部を金属製押出形材でなる押縁１９，２０により固定する。図５に示すように、ガラスパネル７の上辺部を固定する押縁１９は、横枠２の見込み面部２ｄに設けた係止溝２ｅに押縁１９の係止片１９ａを嵌合すると共に、横枠２の見込み面部２ｄに設けた係止突起２ｆに押縁１９の係止部１９ｂを係止させる。また、押縁１９に設けたシール材取付け部１９ｃにゴム等でなる乾式シール材２１を取付ける。そしてこの乾式シール材２１をガラスパネル７の室外側面に押接することにより、ガラスパネル７の室外側の上部の面が押縁１９により固定される。
【００３５】
また、ガラスパネル７の左右の側辺部を固定する縦枠１側の押縁２０は、図７に示すように、縦枠１の見込み面部１ｄに設けた係止溝１ｅに係止片２０ａを嵌合すると共に、縦枠１の見込み面部１ｄに設けた係止突起１ｆに押縁２０の係止部２０ｂを係止させる。また、押縁２０に設けたシール材取付け部２０ｃにゴム等でなる乾式シール材２１を取付ける。そしてこの乾式シール材２１をガラスパネル７の室外側面に押接することにより、ガラスパネル７の室外側の左右の面が押縁２０により固定される。
【００３６】
このような構成により、図７に示すように、ガラスパネル７の左右の側部は、縦枠１において、見付け面部１ｃと押縁２０との間で保持され、図５に示すように、ガラスパネル７の上部は、横枠２において、見付け面部２ｃと押縁１９との間で保持され、図６に示すように、ガラスパネル７の下部は、横枠３において、室内側見付け面部３ｃと室外側見付け面部３ｄとの間で保持され、いずれも金属製押出形材により囲まれて保持される。
【００３７】
図４、図７において、２２はガラスパネル７の外れ止めのために縦枠１に取付けた外れ止め金具であり、この外れ止め金具２２は、鉄等のように、縦枠１や横枠２，３を構成する押出形材より融点の高い金属でなる。図８（Ａ）はこの外れ止め金具２２をガラスパネルの面内方向の内側から見た側面図、図８（Ｂ）は室外側から見た正面図である。この外れ止め金具２２は、ガラスパネル７の室外側の面に対面する外れ止め部２２ａと、縦枠１の見込み面部１ｄに対面する見込み面部２２ｂと、縦枠１の室内側見付け面部１ｃに重ねる取付け部２２ｃとを有し、取付け部２２ｃには複数個の貫通孔２２ｄを設ける。これらの貫通孔２２ｄは、室外側から見て外れ止め部２２ａを欠除させた位置に設ける。
【００３８】
この外れ止め金具２２は、ガラスパネル７を縦枠１や横枠２，３にセットした後、押縁２０を取付ける前に、図７に示すように、縦枠１の室内側見付け面部１ｃに取付け部２２ｃを重ね、室外側から取付けるねじ２３を取付け部２２ｃに設けた複数の貫通孔２２ｄにそれぞれ挿通し、縦枠１の室内側見付け面部１ｃに設けたねじ孔１ｇに螺合することにより、縦枠１に取付ける。
【００３９】
外れ止め金具２２の外れ止め部２２ａには、この外れ止め部２２ａを直角に曲成してパネルストッパ２２ｅを形成する。パネルストッパ２２ｅの位置は、ガラスパネル７の左右いずれか一方の端面をこのパネルストッパ２２ｅに当接させた際に、ガラスパネル７の他方の端部が縦枠１の見付け面部１ｃや外れ止め金具２２から外れない位置に設定される。
【００４０】
上述のように、本実施の形態においては、ガラスパネル７の室内側４辺を、縦枠１および横枠２，３の室内側の見付け面部１ｃ，２ｃ，３ｃに対面させたので、従来のように合成樹脂製押出形材製押縁で室内側を押さえる構造に比較し、火災の際の熱による合成樹脂製押出形材５，６の変形や溶融によってガラスパネル７の室内側支持力の消失の問題が起こりにくく、ガラスパネル７の支持力保持を長時間にわたり維持することができる。また、ガラスパネル７の室外側を金属製押出形材でなる押縁１９，２０によって固定する構造としたので、ガラスパネル７の掛かり部の幅Ｗ４（図７参照）は室内側に設ける合成樹脂製押出形材４による制約をうけず、この掛かり部の幅を大きくとることができるので、ガラスパネル７をしっかり押さえることができ、ガラスパネル７の外れも防止できる。また、縦枠１や横枠２，３の室内側に設けた合成樹脂製押出形材４〜６は窓として断熱性を高めて結露を防止し、省エネ効果を向上させる。
【００４１】
また、ガラスパネル７の室内側の面と縦枠１および横枠２，３の室内側の見付け面部１ｃ，２ｃ，３ｃとの間に加熱発泡材１６を設けたので、図９に示すように、火災時にはこの加熱発泡材１６が膨張する。これにより、ガラスパネル７の室内側の面と縦枠１および横枠２，３の室内側の見付け面部との間に隙間が発生することが防止されると共に、加熱発泡材１６が膨張することにより、ガラスパネル７を図９の矢印Ｘに示すように室外側に押圧し、シール材２１が変形あるいは溶融したとしても、ガラスパネル７の室外側の面における隙間の発生も防止されるため、ガラスパネル７と枠１〜３との間の隙間の発生が防止される。
【００４２】
このため、ガラスパネル７と縦枠１や横枠２，３との間から熱風が室内側に侵入したり、ガラスパネル７のスペーサ部に設けられる封止材１３やシール材２１の加熱によって発生する可燃性ガスが室内側に侵入して室内側が延焼しやすい状態となることを防止することができる。また、火災時に加熱発泡材１６の膨張によりガラスパネル７が縦枠１や横枠２，３に保持できるので、ガラスパネル７の構成を維持することができ、ガラスパネル７の崩壊による開口部の発生が防止され、ガラスパネル７の外れによる延焼が防止される。
【００４３】
また、図１、図２で示したように、建物開口部３２の室外側に設けた凹み部４５に枠体Ｆをねじ等の固定具４６により固定し、室内側から見ると、枠体Ｆは額縁３８，４０，４４，４４や内装材４６によって隠蔽される構造としたので、室内側から火災が発生した場合、枠体Ｆが溶けず、窓の形態を維持でき、外への延焼も防止できると共に、加熱発泡材１６を小型に構成できる。
【００４４】
本発明はガラスパネルが１重のパネルでなる場合にも適用できるが、本実施の形態のように、ガラスパネル７を２重パネルとすることにより断熱性がさらに高い窓を提供することができ、また、室外側パネル８が網入りガラスパネルでなることによって、さらに防火性の高い窓を提供することが可能となる。
【００４５】
なお、押縁１９，２０は窓枠を構成する４辺のうちの２辺以上設ければよく、上記実施の形態に示したような３辺（左右の縦枠１と横枠２）に限定されない。また、外れ止め金具２２は窓枠を構成する４辺のうちの１辺以上設けることによって外れ止め効果を発揮することができる。また本発明は、１枚のフィックス窓が複数の横枠や縦枠を備えてガラスパネルを分割した構造にも適用でき、横枠や縦枠に区画された枠内についてそれぞれ押縁や加熱発泡材等を設けた構成とすることができる。
【００４６】
図１０は本発明の窓の他の一実施の形態を示す縦断面図、図１１はその横断面図である。この実施の形態の窓は、前記ガラスパネル７の室内側の面と縦枠１や横枠２，３との間に加熱発泡材１６を設けるのみならず、縦枠１および横枠２，３のガラスパネル７の端面に対面する見込み面部１ｄ，２ｄ，３ｅにも加熱発泡材２４を設けたものである。また、外れ止め金具２４を設けた縦枠１の見込み面部１ｄについては、外れ止め金具２４により見込み面部１ｄを覆われた部分については外れ止め金具２４のガラスパネル対向面に加熱発泡材２４を設ける。
【００４７】
図１２は図１０の実施の形態の火災時の形態の変化を示す縦断面図である。図１２に示すように、火災時にこの加熱発泡材２４が膨張することにより、ガラスパネル７の端面と縦枠１や横枠２，３との間が閉塞される。このため、熱風や可燃性ガスの室内側への侵入がより確実に防止され、延焼防止効果がさらに向上する。また、仮に内外のガラスパネル８，９間の封止材１３が溶融し、スペーサ１１が脱落したとしても、ガラスパネル８，９間に膨張した加熱発泡材２４が充填されることにより、ガラスパネル７の型くずれが防止され、ガラスパネル７の構造が維持され、ガラスパネル７が縦枠１および横枠２，３により確実に保持されるので、ガラスパネル７の外れによる延焼もさらに確実に防止される。なお、見付け面部１ｃ，２ｃ，３ｃ側の加熱発泡材１６を設けず、見付け面部１ｄ，２ｄ，３ｅにのみ加熱発泡材２４を設けた構成にしてもよい。
【００４８】
以上の説明はフィックス窓に例をとって本発明の構成したが、本発明は、引き違い障子や開閉窓等の障子等となるサッシを有する窓にも適用できる。図１３はサッシに本発明を適用した例を示す縦断面図であり、このサッシは図１〜図７に示した窓枠に装着されるものである。２５はサッシの上框となる横框、２６は横框２６の室内側に取付けられた断熱用の合成樹脂製押出形材であり、この押出形材２６は、横框２５の室内側の面とガラスパネル２７の面内方向の内側とを覆って横框の一部として構成される。２８はガラスパネル２７の室外側の面を押さえて固定する金属製押出形材でなる押縁、２９は横框２５の室内側見付け面部２５ａに設けた加熱発泡材であり、この加熱発泡材２９はガラスパネル２７とこの見付け面部２５ａとの間で挟持される。３０はガラスパネル２７の端面に対面する横框２５の見込み面部２５ｂに取付けられた加熱発泡材、３１は合成樹脂製押出形材２６に取付けられたゴム等でなる乾式シール材、３２は押縁２８に取付けられたゴム等でなる乾式シール材である。
【００４９】
ガラスパネル２７は網入りガラスパネルでなる室外側ガラスパネル２７ａと室内側ガラスパネル２７ｂとの間に前記スペーサ１１、接着剤１２、封止材１３と同様構造の介装材２７ｃを介装したものである。なお、不図示の縦框や下框となる横框にもその各見付け面部や見込み面部に加熱発泡材２９，３０が取付けられる。また、縦框の室外側にも金属製押出形材でなる押縁を設ける。
【００５０】
このように、框の室内側に合成樹脂製押出形材２６を設けて断熱性を向上させたサッシについても、前述したフィックス窓と同様の構成をとることにより、前述した効果をあげることができる。すなわち、ガラスパネル２７の室内外の面が金属製押出形材（見付け面部２５ａと押縁２８）により保持されるため、火災時にもガラスパネルの支持力を長時間にわたり維持することができる。また、ガラスパネル２７の室外側を金属製押出形材でなる押縁２８によって固定する構造としたので、ガラスパネル２７の掛かり部の幅は室内側に設ける合成樹脂製押出形材２６による制約を受けず、この掛かり部の幅を大きくとることができるので、ガラスパネル２７をしっかり押さえることができ、ガラスパネル２７の外れも防止できる。
【００５１】
また、ガラスパネル２７の室内側の面と框の室内側の見付け面部２５ａとの間に加熱発泡材２９を設けたので、火災時に加熱発泡材２９が膨張することにより、ガラスパネル２７の室外側の面における隙間の発生も防止される。このため、ガラスパネル２７と框２５ａとの間から熱風が室内側に侵入したり、ガラスパネル２７のスペーサ３３やシール材３２の加熱によって発生する可燃性ガスが室内側に侵入して室内側が延焼しやすい状態となることを防止することができる。また、火災時に加熱発泡材２９の膨張によりガラスパネル２７が框２５に保持できるので、ガラスパネル２７の構成を維持することができ、ガラスパネル２７の崩壊による開口部の発生が防止され、ガラスパネル２７の外れによる延焼が防止される。
【００５２】
また、框２５のガラスパネル２７の端面に対面する見込み面部２５ｂに加熱発泡材３０を設けたので、火災時にこの加熱発泡材３０が膨張することにより、ガラスパネル２７の端面と框２５との間が閉塞される。このため、熱風や可燃性ガスの室内側への侵入がより確実に防止され、延焼防止効果がさらに向上する。また、火災時にガラスパネル２７が框２５により確実に保持されるので、ガラスパネル２７の外れによる延焼もさらに確実に防止される。
【００５３】
なお本発明を障子に適用する場合、フィックス窓について述べたように、ガラスパネル２７は１重パネルでもよく、また、室外側押縁は４辺のうちの２辺以上あればよい。また、障子の場合にも、フィックス窓について述べたガラスパネルの外れ止め金具を框内に設けてもよい。また、障子は１枚の障子を複数の横框や縦框を備えてガラスパネルを分割した構造であってもよい。
【００５４】
以上本発明を実施の形態により説明したが、本発明を実施する場合、本発明の要旨を逸脱しない範囲において、構成部材やその組み合わせについて、種々の変更、付加が可能である。
【符号の説明】
【００５５】
１：縦枠、１ｃ：見付け面部、１ｄ：見込み面部、１ｇ：ねじ孔、２，３：横枠、２ｃ，３ｃ：見付け面部、２ｄ，３ｅ：見込み面部、４，５，６：合成樹脂製押出形材、７：ガラスパネル、８：室外側ガラスパネル、９：室内側ガラスパネル、１０：スペーサ、１１：スペーサ、１２：接着剤、１３：封止材、１６：加熱発泡材、１７：乾式シール材、１９，２０：押縁、２１：乾式シール材、２２：外れ止め金具、２２ａ：外れ止め部、２２ｂ：見込み面部、２２ｃ：取付け部、２２ｄ：貫通孔、２２ｅ：パネルストッパ、２４：加熱発泡材、２５：横框、２６：合成樹脂製押出形材、２７：ガラスパネル、２８：押縁、２９，３０：加熱発泡材、３１，３２：乾式シール材、３５：窓台、３６：まぐさ、３７：建物開口部、３８，４０，４３：額縁、３９，４１，４４：カイ木、４５：凹み部
【図１】
2014105554.tif 000003
【図２】
2014105554.tif 000004
【図３】
2014105554.tif 000005
【図４】
2014105554.tif 000006
【図５】
2014105554.tif 000007
【図６】
2014105554.tif 000008
【図７】
2014105554.tif 000009
【図８】
2014105554.tif 000010
【図９】
2014105554.tif 000011
【図１０】
2014105554.tif 000012
【図１１】
2014105554.tif 000013
【図１２】
2014105554.tif 000014
【図１３】
2014105554.tif 000015
【図１４】
2014105554.tif 000016
【図１５】
2014105554.tif 000017